(57)【要約】【課題】簡単な機構により、レンズ鏡筒に簡単にロックできるレンズキャップを提供する。【解決手段】レンズを有する光学機器の鏡筒部に嵌められて前記レンズを保護するレンズキャップであって、前記レンズキャップ本体の１に、前記レンズキャップの半径方向を向いたアリ３が形成され、アリ３には、そのアリ３に沿って直動可能なスライド機構２のアリ溝４が嵌合しており、スライド機構２をスライドさせることによって、スライド機構２に設けられた爪５が、レンズの鏡筒の周上に設けられた凹部溝に出入りするようにされていることを特徴とするレンズキャップ。【選択図】  図１
2009086455.tif 000002
【特許請求の範囲】
【請求項１】
レンズを有する光学機器の鏡筒部に嵌められて前記レンズを保護するレンズキャップであって、前記レンズキャップの本体に、前記レンズキャップの半径方向を向いたアリが形成され、前記アリには、そのアリに沿って直動可能なスライド機構に設けられたアリ溝が嵌合しており、前記スライド機構をスライドさせることによって、前記スライド機構に設けられた爪が、前記レンズの鏡筒の周上に設けられた凹部溝に出入りするようにされていることを特徴とするレンズキャップ。
【請求項２】
レンズを有する光学機器の鏡筒部に嵌められて前記レンズを保護するレンズキャップであって、前記レンズキャップの本体に、前記レンズキャップの半径方向を向いたアリ溝が形成され、前記アリ溝には、そのアリ溝に沿って直動可能なスライド機構に設けられたアリが嵌合しており、前記スライド機構をスライドさせることによって、前記スライド機構に設けられた爪が、前記レンズの鏡筒の周上に設けられた凹部溝に出入りするようにされていることを特徴とするレンズキャップ。
【請求項３】
前記レンズキャップの本体の一部の側面に切り欠き部を有し、当該切り欠き部を覆うように、前記スライド機構の一部を配置したことを特徴とする請求項１又は請求項２に記載のレンズキャップ。
【請求項４】
前記レンズキャップの本体の前記スライド機構と接触する位置に、前記スライド機構を係止する係止機構を設けたことを特徴とする請求項１又は請求項２に記載のレンズキャップ。
【請求項５】
請求項１から請求項４のうちいずれか１項に記載のレンズキャップと、前記レンズの鏡筒の周上に設けられた凹部溝を有することを特徴とする光学機器。
【発明の詳細な説明】
【技術分野】
【０００１】
本発明は、光学機器のレンズを保護するレンズキャップ及び光学機器に関するものである。
【背景技術】
【０００２】
従来の望遠鏡、双眼鏡等のレンズ鏡筒に取り付けるレンズキャップは、レンズに直接接触しないようにレンズ鏡筒の外径、あるいは内径に勘合させて、キャップの材質を柔軟プラスチックにしたり、板バネを設けたりして、レンズ鏡筒との摩擦力で固定している。またねじやバヨネットで固定するものもある。
【０００３】
一方、双眼鏡などの一部にあるような、レンズキャップの取り外しを即座に行う必要のあるものは、上記のような固定はせずに、単に、レンズキャップを鏡筒部にかぶせただけのものもある。
【発明の開示】
【発明が解決しようとする課題】
【０００４】
このように双眼鏡の一部にあるような、レンズキャップの取り外しを即座に行うものは、レンズキャップを鏡筒部に固定をすることはできないので、キャップ取り付け状態でも、簡単にキャップが脱落し、レンズの保護機能を果たせなくなることがある。しかし、収納状態では脱落せず固定できるもののほうが良く、その機能が両立できなかった。又、レンズ鏡筒との摩擦力で固定するものについても、同じような問題があった。さらに、ねじやバネヨットで固定するものは、取り外しに時間がかかったり、機構が複雑になるという問題があった。
【０００５】
本発明はこのような事情に鑑みてなされたものであり、簡単な機構により、レンズ鏡筒に簡単にロックできるレンズキャップ、及びそれを有する光学機器を提供することを課題とする。
【課題を解決するための手段】
【０００６】
前記課題を解決するための第１の手段は、レンズを有する光学機器の鏡筒部に嵌められて前記レンズを保護するレンズキャップであって、前記レンズキャップの本体に、前記レンズキャップの半径方向を向いたアリが形成され、前記アリには、そのアリに沿って直動可能なスライド機構に設けられたアリ溝が嵌合しており、前記スライド機構をスライドさせることによって、前記スライド機構に設けられた爪が、前記レンズの鏡筒の周上に設けられた凹部溝に出入りするようにされていることを特徴とするレンズキャップである。
【０００７】
前記課題を解決するための第２の手段は、レンズを有する光学機器の鏡筒部に嵌められて前記レンズを保護するレンズキャップであって、前記レンズキャップの本体に、前記レンズキャップの半径方向を向いたアリ溝が形成され、前記アリ溝には、そのアリ溝に沿って直動可能なスライド機構に設けられたアリが嵌合しており、前記スライド機構をスライドさせることによって、前記スライド機構に設けられた爪が、前記レンズの鏡筒の周上に設けられた凹部溝に出入りするようにされていることを特徴とするレンズキャップである。
【０００８】
前記課題を解決するための第３の手段は、前記第１の手段又は第２の手段であって、前記レンズキャップの本体の一部の側面に切り欠き部を有し、当該切り欠き部を覆うように、前記スライド機構の一部を配置したことを特徴とするものである。
【０００９】
前記課題を解決するための第４の手段は、前記第１の手段又は第２の手段であって、前記レンズキャップの本体の前記スライド機構と接触する位置に、前記スライド機構を係止する係止機構を設けたことを特徴とするものである。
【００１０】
前記課題を解決するための第５の手段は、前記第１の手段から第４の手段のいずれかであるレンズキャップと、前記レンズの鏡筒の周上に設けられた凹部溝を有することを特徴とする光学機器である。
【発明の効果】
【００１１】
本発明によれば、簡単な機構により、レンズ鏡筒に簡単にロックできるレンズキャップ、及びそれを有する光学機器を提供することができる。
【発明を実施するための最良の形態】
【００１２】
以下、本発明の実施の形態の例を、図を用いて説明する。図１は、本発明の実施の形態の１例であるレンズキャップの全体を示す概要図であり、（ａ）は平面図、（ｂ）は正面図、（ｃ）、（ｄ）は、下面図である。なお、（ｃ）は、スライドスイッチ２が、後に述べるように摺動してレンズキャップ本体１から飛び出している状態（図３に示す非ロック状態）、（ｄ）は、スライドスイッチ２がレンズキャップ本体１に収納されている状態（図４に示すロック状態）を示すものである。図２は、図１（ａ）におけるＡ−Ａ断面図である。図３、図４は、図１（ａ）におけるＢ−Ｂ断面図である。図５は、図１（ｄ）におけるＣ部拡大図である。
【００１３】
このレンズキャップはレンズキャップ本体１とスライドスイッチ２の二部品で構成される。レンズキャップ本体１の側面の一部には切り欠き部を有し、その切り欠き部を覆うようにスライドスイッチ２の一部が位置するように形成されている。このようにして、レンズキャップで覆われたレンズの防塵性を向上させている。スライドスイッチ２の一部を薄肉化しアリ溝４を形成している。このアリ溝４には、レンズキャップ本体１に形成されたアリ３が勘合して、スライドスイッチ２がレンズキャップ本体１に対してスライド可能になっている。スライド方向は、レンズの半径方向となされている。
【００１４】
レンズキャップ本体１の切り欠き部を覆うスライドスイッチ２の下部の端部にロック爪５が形成されている。また、後述するように、スライドスイッチ２のアリ溝４より後端には穴部６があり、この中に、レンズキャップ本体１より弾力性がある規制部７が設けられている。これにより、スライドスイッチ２の直動量が規制され、また、制限の位置二カ所でクリック固定される。
【００１５】
図３の状態はロック爪５が退避したロック開放状態を示す。レンズ鏡筒１０とレンズ鏡筒端８の間の円周上にロック溝９が形成されており、スライドスイッチ２から出たロック爪５はロック溝９から退避しているので、この状態ではレンズキャップはかぶさっているだけである（非ロック状態）。
【００１６】
図４も図３同様、キャップの直動方向の断面図である。この状態はロック爪５が突出したロック状態である。そして、ロック溝９の中ににロック爪５が入り込んでいるので、この状態ではレンズキャップが上に抜けること無く固定されている。
【００１７】
図３のロック開放状態から図４のロック状態への移行は、レンズキャップ本体１のアリ３を、スライドスイッチ２のアリ溝４に沿って、前後にスライドさせることにより、レンズキャップ本体１に対してスライドスイッチ２を摺動させて行う。
【００１８】
図５において、スライドスイッチ２に設けられた穴部６は楕円形の形状の穴部６ａ、６ｂが２つ連続したような形状をしており、２つの楕円形状の穴部６ａ、６ｂのつなぎ目は細くなっていて、そこに、規制部７が設けられている。レンズキャップ本体１の突起部突起部１１は、スライドスイッチ２の摺動に伴って、楕円形状の穴部６ａ、６ｂの間を往復するが、その往復の際、弾力性のある規制部７を乗り越えて移動するようになっている。これにより、ロック状態、非ロック状態においても、スライドスイッチ２が移動しにくくなり、ある程度の力を加えないと、互いの状態が切り替わらないようになって、クリック状態を発生させている。
【００１９】
なお、以上の説明においては、レンズキャップ本体１にアリ３を、スライドスイッチ２にアリ溝４を設けてこれらを嵌合させているが、レンズキャップ本体１にアリ溝４をスライドスイッチ２にアリ３を設けて、これらを嵌合させてスライドスイッチ２をスライドさせるようにしてもよいことは言うまでもない。
【図面の簡単な説明】
【００２０】
【図１】本発明の実施の形態の１例であるレンズキャップの全体を示す概要図であり、（ａ）は正面図、（ｂ）は平面図、（ｃ）、（ｄ）は、下面図である。
【図２】図１（ａ）におけるＡ−Ａ断面図である。
【図３】図１（ａ）におけるＢ−Ｂ断面図である。
【図４】図１（ａ）におけるＢ−Ｂ断面図である。
【図５】図１（ｄ）におけるＣ部拡大図である。
【符号の説明】
【００２１】
１…レンズキャップ本体、２…スライドスイッチ、３…アリ、４…アリ溝、５…ロック爪、６…穴部、７…規制部、８…レンズ鏡筒端、９…ロック溝、１０…レンズ鏡筒、１１…突起部
【図１】
2009086455.tif 000003
【図２】
2009086455.tif 000004
【図３】
2009086455.tif 000005
【図４】
2009086455.tif 000006
【図５】
2009086455.tif 000007